(57)【要約】      （修正有）【課題】モップを回転させて脱水する際の繊維材の展開幅を小さくすることが可能な機構を有するモップ構造を提供する。【解決手段】モップ回転収納可能なモップ構造体は、少なくとも筒体セット１、布盤２及び旋転盤３を備える。筒体セット１は、外筒体１１を含む。外筒体１１の終端部に接続蓋１３が接続される。前記外筒体１１内部には、接続蓋１３を延伸させる内筒体が配置される。布盤２は、接続蓋１３の底面に接続され、中央部に設けられた中空部を有する。中空部の内壁には位置決めリブ２２が環状に突設される。布盤２の外側底面には、繊維材セット４が取り付けられる。繊維材セット４としては、布盤２の底面に複数の繊維材４１が周設される。繊維材４１の２つの端部がミシン目４２により接続される。【選択図】図３
0003179712.tif 000002
【実用新案登録請求の範囲】
【請求項１】
筒体セット１、布盤２及び旋転盤３を備えたモップ構造体１０であって、
前記筒体セット１は、外筒体１１を含み、前記外筒体１１の終端部に接続蓋１３が接続され、前記外筒体１１内部には、前記接続蓋１３を延伸させる内筒体１２が配置され、
前記布盤２は、前記接続蓋１３の底面に接続され、中央部に設けられた中空部２１を有し、前記中空部２１の内壁には位置決めリブ２２が環状に突設され、前記布盤２の外側底面には、繊維材セット４が取り付けられ、前記繊維材セット４は、前記布盤２の底面に複数の繊維材４１が周設されてなり、前記繊維材４１の２つの端部がミシン目４２により接続され、
前記旋転盤３には、前記内筒体１２が貫設され、前記内筒体１２の回転により前記旋転盤３を回転させる位置規制孔３２が設けられ、前記旋転盤３の外側周縁には、位置決め部３１が設けられ、前記位置決め部３１と前記位置規制孔３２との間には、複数の摺動部３３が環状に間隔をおいて設けられ、前記摺動部３３には、前記布盤２の前記位置決めリブ２２が接続され、前記旋転盤３が前記位置決めリブ２２に対応して回転し、前記位置決め部３１には、複数の連動紐５が間隔をおいて取り付けられ、前記連動紐５の終端部には、前記繊維材４１が放射状に延設されることを特徴とする回転収納可能なモップ構造体。
【請求項２】
前記筒体セット１の前記内筒体１２の外側には、複数のフック溝１２１が間隔をおいて環状に凹設され、前記旋転盤３の前記位置規制孔３２の内壁には、前記フック溝１２１を係合させる位置規制リブ３２１が環状に間隔をおいて突設され、前記フック溝１２１を前記位置規制リブ３２１に合わせると前記筒体セット１を上下に変位させることが可能であることを特徴とする請求項１に記載のモップ構造体。
【請求項３】
前記旋転盤３の前記摺動部３３には、ストッパアーム３３１が設けられ、前記ストッパアーム３３１の上部には、前記位置決め部３１側に当接アーム３３２が延伸され、前記当接アーム３３２と前記ストッパアーム３３１との間にスライド溝３３３が形成され、前記スライド溝３３３に前記位置決めリブ２２を係合し、前記スライド溝３３３中に前記位置決めリブ２２を嵌着させることを特徴とする請求項１に記載のモップ構造体。
【請求項４】
前記連動紐５と前記繊維材４１との間は、ミシン目４２により連結固定されることを特徴とする請求項１に記載のモップ構造体。
【請求項５】
前記連動紐５と、前記旋転盤３の前記位置決め部３１との間は、射出成形により連結固定されることを特徴とする請求項１に記載のモップ構造体。
【考案の詳細な説明】
【技術分野】
【０００１】
本考案は、モップ構造体に関するものであり、さらに詳しくは、モップ回転収納の布盤装置を有するモップ構造体に関するものであって、回転して脱水を行うモップ構造体であり、回転させて繊維材料を中央部へ集めて収納するモップ回転収納可能なモップ構造体に関するものである。
【背景技術】
【０００２】
一般にモップを使用した後、モップのヘッド部に設けられた清潔布の汚れは水で洗浄して絞らなければ、清掃を続けることはできない。従来のモップは手作業で搾り出して乾かす必要があるため非常に不便である。
【０００３】
そのため、メーカーにより回転可能なモップ及び脱水桶が開発されている。脱水桶中には、水切り籠が枢着され、モップのホルダに設けられた回転機構により、モップのホルダが伸縮する際、モップのヘッド部を速やかに回転させることにより清潔布の水分を弾き飛ばすので、モップのヘッド部を水切り籠へ載置して清潔布を水切り籠中に集めた後にホルダを伸縮させてホルダ中の回転機構を駆動させると、モップのヘッド部を速やかに回転させることができる。
【０００４】
この構成により、遠心力により清潔布に含まれた水分を弾き飛ばすことができるため、ユーザは便利に使用することができる。しかし、このような方式は、従来のように清潔布を手で絞って乾かす必要がないため便利であるが、以下（１）及び（２）の不便性と欠点が指摘されてきた。
（１）モップ自体が位置決め機構を備えていないため、位置決めしてモップのヘッド部を回転させるためには、脱水桶中の水切り籠が必要であった。そのため、ユーザはモップ及び脱水桶の両方を購入して使用しなければならず、ユーザの使用コストの負担が増える上、脱水桶の体積が大きいために運送費用が大幅に増大するという問題があった。
（２）一般の水桶と異なり脱水桶に回転可能な水切り籠が増設されているため、脱水桶の収納に必要な占有空間が大きくなるという問題があった。
モップ構造については、従来から各種の提案があり、例えば、実用新案登録第３１４４２２２号公報（以下、「特許文献１」という。）には、拭き取り体、グリップ棒体、捻り回転スリーブ、連動ユニット、定位ユニット、操作スライドキャップを含むモップの回転絞り機構を有するモップ構造が記載されている。
しかし、特許文献１には回転脱水において繊維材の展開幅を抑制するような点については開示がない。
【特許文献１】実用新案登録第３１４４２２２号公報
【考案の概要】
【考案が解決しようとする課題】
【０００５】
従って、本考案の課題は、モップ構造体を回転させて脱水する際に繊維材の展開幅を小さくするモップ回転収納可能な機構を有するモップ構造体を提供することにある。
【課題を解決するための手段】
【０００６】
そこで、本考案者は、前記の本考案の課題を解決するため鋭意検討を重ねた結果、モップの繊維材を中央部へ集めることにより、前記課題を解決できることに着目し、かかる知見に基づいて本考案に想到するに至った。
【０００７】
かくして、
上記課題を解決するために、本考案によれば、筒体セット１、布盤２及び旋転盤３を備えたモップ構造体１０であって、
前記筒体セット１は、外筒体１１を含み、前記外筒体１１の終端部に接続蓋１３が接続され、前記外筒体１１内部には、前記接続蓋１３を延伸させる内筒体１２が配置され、
前記布盤２は、前記接続蓋１３の底面に接続され、中央部に設けられた中空部２１を有し、前記中空部２１の内壁には位置決めリブ２２が環状に突設され、前記布盤２の外側底面には、繊維材セット４が取り付けられ、前記繊維材セット４は、前記布盤２の底面に複数の繊維材４１が周設されてなり、前記繊維材４１の２つの端部がミシン目４２により接続され、
前記旋転盤３には、前記内筒体１２が貫設され、前記内筒体１２の回転により前記旋転盤３を回転させる位置規制孔３２が設けられ、前記旋転盤３の外側周縁には、位置決め部３１が設けられ、前記位置決め部３１と前記位置規制孔３２との間には、複数の摺動部３３が環状に間隔をおいて設けられ、前記摺動部３３には、前記布盤２の前記位置決めリブ２２が接続され、前記旋転盤３が前記位置決めリブ２２に対応して回転し、前記位置決め部３１には、複数の連動紐５が間隔をおいて取り付けられ、前記連動紐５の終端部には、前記繊維材４１が放射状に延設されることを特徴とする回転収納可能なモップ構造体が提供される。
【０００８】
前記筒体セット１の前記内筒体１２の外側には、複数のフック溝１２１が間隔をおいて環状に凹設され、前記旋転盤３の前記位置規制孔３２の内壁には、前記フック溝１２１を係合させる位置規制リブ３２１が環状に間隔をおいて突設され、前記フック溝１２１を前記位置規制リブ３２１に合わせると前記筒体セット１を上下に変位させることが可能であることが好ましい。
【０００９】
前記旋転盤３の前記摺動部３３には、ストッパアーム３３１が設けられ、前記ストッパアーム３３１の上部には、前記位置決め部３１側に当接アーム３３２が延伸され、前記当接アーム３３２と前記ストッパアーム３３１との間にスライド溝３３３が形成され、前記スライド溝３３３に前記位置決めリブ２２を係合し、前記スライド溝３３３中に前記位置決めリブ２２を嵌着させることが好ましい。
【００１０】
前記連動紐５と前記繊維材４１との間は、ミシン目４２により連結固定されることが好ましい。
【００１１】
前記連動紐５と、前記旋転盤３の前記位置決め部３１との間は、射出成形により連結固定されることが好ましい。
【００１２】
本考案に係るモップ構造体は、前記の説明の通り、少なくとも、筒体セット１と、布盤２と、旋転盤３と繊維材セット４を備えた構造からなるものであり、モップ回転収納が可能であり、モップ回転収納の布盤構造を有するものである。ここで、布盤構造は、前記筒体セット１、布盤２および施転盤３及び繊維材４とからなり、布盤中央部に繊維材と連結する連結紐を集め、連結する繊維材を収納する作用を含む機構であり、前記の通りの構成からなるものである。
【００１３】
また、繊維材は、モップの清拭材として使用可能な綿等、通常用いられる繊維からなるものであり、例えば、毛糸等を挙げることができる。
【考案の効果】
【００１４】
本考案は、前記の通りの構成からなり、モップ回転収納の際には、連動紐を中央部へ集め収納し、連結する繊維材の展開幅を小さくすることができるので適合した水桶を用意すればよく、水切り籠も不要となるなど設備上の軽減を図ることができる。
【図面の簡単な説明】
【００１５】
【図１】本考案の一実施形態によるモップ構造体を示す側面図（１）である。
【図２】本考案の一実施形態によるモップ構造体を示す側面図（２）である。
【図３】本考案の一実施形態によるモップ構造体を示す分解斜視図（１）である。
【図４】本考案の一実施形態によるモップ構造体を示す分解斜視図（２）である。
【図５】本考案の一実施形態によるモップ構造体の布盤と旋転盤とを組み合わせた状態を示す平面図である。
【図６】本考案の一実施形態によるモップ構造体の布盤と旋転盤を示す分解斜視図である。
【図７】図６のＡ部分の拡大図である。
【考案を実施するための形態】
【００１６】
以下、本考案の実施形態について図面に基づいて説明する。なお、これによって本考案が限定されるものではない。
【００１７】
図１〜図７を参照する。図１〜図７に示すように、本考案の一実施形態によるモップ構造体１０は、少なくとも筒体セット１、布盤２、旋転盤３及び繊維材セット４から構成される。
【００１８】
筒体セット１は、外筒体１１を含む。外筒体１１中には、内筒体１２が配置される。内筒体１２の外側には、複数のフック溝１２１が間隔をおいて環状に凹設され、外筒体１１の終端部に接続蓋１３が接続される。
【００１９】
布盤２の中央部には中空部２１が設けられる。中空部２１の内壁には位置決めリブ２２が環状に突設され、布盤２の外縁には、間隔をおいて固定部２３が形成される。
【００２０】
旋転盤３は、外側周縁に設けられた位置決め部３１と、中央部に設けられた位置規制孔３２と、を有する。位置規制孔３２の内壁には、位置規制リブ３２１が間隔をおいて環状に突設され、旋転盤３は、位置決め部３１と位置規制孔３２との間に、複数の摺動部３３が環状に間隔をおいて設けられる。摺動部３３には、ストッパアーム３３１が設けられる。ストッパアーム３３１の上方には、位置決め部３１側に当接アーム３３２が延伸され、当接アーム３３２とストッパアーム３３１との間にスライド溝３３３が形成され、位置決め部３１には、間隔をおいて連動紐５が取り付けられて放射状に延設される。連動紐５と、旋転盤３の位置決め部３１との間は、射出成形により連結固定される。
【００２１】
繊維材セット４は、複数の繊維材４１を含む。複数の繊維材４１の２つの端部は、ミシン目４２により接続される。
【００２２】
本考案に係るモップ回転収納可能なモップ構造体を実際に組み立てる際、繊維材セット４の繊維材４１の端部を布盤２の固定部２３へ連結固定し、ミシン目４２を利用して繊維材４１を連動紐５の末端に連結固定する。ミシン目４２を利用して繊維材４１を互いに接続させる際、まず、繊維材４１を放射状に展開してからミシン目４２により互いに接続し、繊維材４１を使用する際、繊維材４１を最大面積へ展開してから、旋転盤３の摺動部３３を布盤２の位置決めリブ２２に係合させ、位置決めリブ２２とスライド溝３３３とが係合して最終的に前述の布盤２を筒体セット１の接続蓋１３の底面へ接続させ、内筒体１２を接続蓋１３に貫設させてから位置規制孔３２へ挿設して組み立てを完成させる。
【００２３】
本考案に係るモップ構造体を実際に使用する際、ユーザが筒体セット１を駆動させると、内筒体１２が外筒体１１内部から接続蓋１３側へ延伸され、内筒体１２のフック溝１２１と位置規制孔３２の位置規制リブ３２１とが係合され、内筒体１２が回転して旋転盤３に貫設され、旋転盤３の位置規制リブ３２１が内筒体１２のフック溝１２１に沿って旋転盤３を回転させる。旋転盤３が回転すると放射状の連動紐５が旋転盤３の中央部に向かって集められ、連動紐５上の繊維材４１に連結固定され、連動紐５が旋転盤３の中央部に向かって変位し、旋転盤３の回転により連動紐５がピンと張られるまで内筒体１２を回転し続けて繊維材を収納する。
【００２４】
上述したことから分かるように、本考案は従来技術の欠点を改善することができ、本考案は、筒体セット１により旋転盤３を回転させた後、旋転盤３により繊維材４１に接続された連動紐５を中央部へ向けて集めて収納する。旋転盤３が回転する際、繊維材セット４の繊維材４１の展開幅が制限されるため、ユーザは、適合した大きさの水桶を利用し、本実施形態のモップ構造体１０を水桶内で回転して脱水する際、従来技術では必要であった水桶中の水切り籠が必要なくなるため、ユーザの使用コストを減らすことができる上、メーカーの運送費用を大幅に減らすことができる。
【００２５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  筒体セット
２  布盤
３  旋転盤
４  繊維材セット
５  連動紐
１０  モップ構造体
１１  外筒体
１２  内筒体
１３  接続蓋
２１  中空部
２２  位置決めリブ
２３  固定部
３１  位置決め部
３２  位置規制孔
３３  摺動部
４１  繊維材
４２  ミシン目
１２１  フック溝
３２１  位置規制リブ
３３１  ストッパアーム
３３２  当接アーム
３３３  スライド溝
【図１】
0003179712.tif 000003
【図２】
0003179712.tif 000004
【図３】
0003179712.tif 000005
【図４】
0003179712.tif 000006
【図５】
0003179712.tif 000007
【図６】
0003179712.tif 000008
【図７】
0003179712.tif 000009